(57)【特許請求の範囲】
【請求項１】
引違い扉が、左右方向の走行軌道を漸次前後にずらした外引扉２と、中引扉３と、内引扉４とからなり、外引扉２と内引扉４の引き手部５にラッチ装置６が設けられ、該ラッチ装置６は回動自在に軸支したラッチレバー７と家具本体１の側板８に設けた補強部９に設けたラッチ掛け具１０とからなり、このラッチレバー７とラッチ掛け具１０との係脱操作は、外引扉２と内引扉４に設けた引き手部５に設けたラッチレバー７をラッチ装置６の開閉させる機構のラッチ掛け具１０と逆側の位置に１点支持で回動自在に取り付け、該ラッチレバー７の水平引き操作による回動によって係脱を行うことを特徴とする家具等における引違い扉の連係装置。
【請求項２】
引違い扉が、左右方向の走行軌道を漸次前後にずらした外引扉２と、中引扉３と、内引扉４とからなり、外引扉２と内引扉４の引き手部５にラッチ装置６が設けられ、該ラッチ装置６は回動自在に軸支したラッチレバー７と家具本体１の側板８に設けた補強部９に設けたラッチ掛け具１０とからなり、このラッチレバー７とラッチ掛け具１０との係脱操作は、外引扉２と内引扉４に設けたラッチレバー７と一体的に形成した引き手部５にラッチ装置６の開閉させる機構のラッチ掛け具１０と逆側の位置に１点支持で回動自在に取り付けたラッチレバー７と一体の引き手部５の回動引き操作によって係脱を行うことを特徴とする家具等における引違い扉の連係装置。
【請求項３】
内引扉４と中引扉３の一端部に略Ｌ字型で一片の略中央部に、一部切り起こし片を形成し、他片と平行する係止片を設けた係止部材１２を前向係合片１３が中引扉３と外引扉２の一端に補強枠１４の前端に形成された後向係合片１５が係合できるように設けたことを特徴とする請求項１または請求項２記載の家具等における引違い扉の連係装置。
【発明の詳細な説明】
【０００１】
【発明の属する技術分野】
本発明は、家具等における引違い扉の連係装置で、引違い扉の引き手部にラッチ機構を設け、さらに内引扉と中引扉の一端に係止部材を設け、地震などの万一の時に引違い扉がスライド開放されて収納物が飛び出してこないように引違い扉を本体側板側に係合できるようにした家具等における引違い扉の連係装置に関するものである。
【０００２】
【従来の技術】
従来の引違い扉式の家具の場合、開き扉と違って、ラッチ機構は一般的に採用されていないものが存在している。
また、引戸式キャビネットの引戸ラッチ装置として、引違い扉式の引違い扉にラッチ装置を設けたもの（特開平８−１８９２４２号公報を参照）が存在している。
【０００３】
さらに、連動引違戸の連係装置として、各引戸の反りや、各引戸の前後のクリアランスの異常により、連係装置が前後に外れることがあり、両端の引戸をキャビネットに施錠しても中引戸はキャビネットに施錠されていないので、中引戸両端の連係装置を故意に外して、キャビネットが開口される恐れをなくしたキャビネット用連動引違戸の連係装置（特開平７−２２４５７９号公報を参照）が存在している。
【０００４】
【発明が解決しようとする課題】
しかしながら、前記の従来技術においては、地震など万一の時に、引違い扉がスライドして収納物が飛び出してくる危険があった。しかも、３枚の引違い扉の場合は、鎖錠した場合、従来の特開平７−２２４５７９号公報に示されたものは平面視コ字状の後向係合部の前片が一枚形成されているだけのため、故意に外そうとすると簡単に折り曲げられて開口される恐れがあった。また、ラッチレバーを引くように操作すると、従来技術はラッチレバーが水平に移動してラッチと係脱する構成を採用しているのでガタツキが生じる。
【０００５】
本発明は、これらの事情に鑑み、引違い扉の引き手部を利用してラッチ装置を設け、該ラッチ装置のラッチと本体側板側に設けたラッチ掛け具とで係脱自在にして地震など万一の時にも収納物が飛び出す危険性を排除し、さらに引違い戸の各引扉を閉止時に前後に外れないようにし、防盗性を高めると共に、後向係合部の変形をなくすべく切り起こし片を設けて、平行な２片で変形の少なくした抜け外れを無くした家具等における引違い扉の連係装置を提供することを目的とするものである。また、ラッチレバーを１点支持しているので、この支持部を中心に回動させるため、いつも一定の軌跡を移動することになるのでガタツキがない。
【０００６】
【課題を解決するための手段】
本発明は、前記課題の解決を図るため、次のような技術手段を採用した。請求項１記載の発明においては、引違い扉が、左右方向の走行軌道を漸次前後にずらした外引扉と、中引扉と、内引扉とからなり、外引扉と内引扉の引き手部にラッチ装置が設けられ、該ラッチ装置は回動自在に軸支したラッチレバーと家具本体の側板に設けた補強部に設けたラッチ掛け具とからなり、このラッチレバーとラッチ掛け具との係脱操作は、外引扉２と内引扉４に設けた引き手部５に設けたラッチレバー７をラッチ装置６の開閉させる機構のラッチ掛け具１０と逆側の位置に１点支持で回動自在に取り付けたラッチレバーの水平引き操作による回動によって係脱を行うという技術手段を採用した。
【０００７】
請求項２記載の発明においては、引違い扉が、左右方向の走行軌道を漸次前後にずらした外引扉と、中引扉と、内引扉とからなり、外引扉と内引扉の引き手部にラッチ装置が設けられ、該ラッチ装置は回動自在に軸支したラッチレバーと家具本体の側板に設けた補強部に設けたラッチ掛け具とからなり、このラッチレバーとラッチ掛け具との係脱操作は、外引扉と内引扉に設けたラッチレバーと一体的に形成した引き手部にラッチ装置の開閉させる機構のラッチ掛け具と逆側の位置に１点支持で回動自在に取り付けたラッチレバーと一体の引き手部の回動引き操作によって行うという技術手段を採用した。
【０００８】
請求項３記載の発明においては、請求項１、または請求項２記載の発明に加えて、内引扉と中引扉の一端部に略Ｌ字型で一片の略中央部に、一部切り起こし片を形成し、他片と平行する係止片を設けた係止部材を前向係合片が中引扉と外引扉の一端に補強枠の前端に形成された後向係合片が係合できるように設けるという技術手段を採用した。
【０００９】
【発明の実施の形態】
本発明は、引違い扉２、３、４の引き手部５に対応させて家具本体１の側板８に設けた補強部９にラッチ掛け具１０を設け、このラッチ掛け具１０に係脱自在になるように引き手部５の凹部にラッチ装置６を設けたものである。そして、さらにラッチ掛け具１０の形状を特殊形状にすることによって、従来のラッチは、押すと引違い扉２、３、４が後へガタ分だけ動いてしまい、ラッチ作動が円滑にいかない、そして、各引扉２、３、４の相対的な左右位置を規制するものであるため、各引扉２、３、４の反りや、各引扉２、３、４の前後のクリアランスの異常により、連係装置が前後に外れることがあり、両端の引扉２、４を家具本体１に施錠しても、中引扉３は家具本体１に施錠されていないので、中引扉３両端の連係装置を故意に外して、家具本体１が開口される恐れがある。また、連動引違戸を粗暴にして開閉すると、各引扉２、３、４同士が激しく衝接して、騒音を発するという欠点があった。これを改良して騒音防止のため、前向係合板１３の前部と、Ｌ字型状の係止部材１２に緩衝材１６を設けることにより、引違い扉の開閉の際に激しく衝接しても騒音は極めて少ないものに解消したものである。
【００１０】
【実施例】
以下、本発明の１実施例を添付図面で詳細に説明する。
図１〜図５に基づいて、本発明の引違い扉の連係装置について詳細に説明すると、ラッチ装置は、図１に示す引違い扉２の引き手部５に設けられている。
【００１１】
先ず、図１に示したものは、家具の一例であるスチール製引違い書庫の概略斜視図で、１は書庫（家具）本体、２は外引違い扉、３は内引違い扉、４は外引違い扉である。
【００１２】
次に、本発明の連係装置について図２〜図５に基づいて詳細に説明する。
中引扉３と内引扉４の補強枠１４の右方の後向係合部１５の前面の上部には、Ｌ字型状の係止部材１２をビス等で固定する。この係止部材１２は、上、下を残して、中央を切り起こして平面視コ字状の前向係合板１３を形成して、内引扉４と中引扉３には開口部を形成し、この開口部に平面視コ字状の切り起こし片が貫通して、さらに、係止部材１２の切り起こし片と係止部材１２には緩衝材１６が設けられている。
【００１３】
本実施例においては、図１に略示するように、３枚の引扉２、３、４が展開して家具本体１の開口部を閉塞している時は、図３に示すように、外引扉２の左方の後向係合部１５が中引扉３の前向係合部１３に左方より係合し、中引扉３の左方の後向係合部１５が、内引扉４の前向係合部１３に左方より係合している。
【００１４】
この状態において、外引扉２の引き手部５に手を掛けて左方に引けば、外引扉２の後向係合部１５は中引扉３の前向係合部１３より離脱し、ついで外引扉２の後向係合部１５が中引扉３の前向係合部１３の右面に当接して、中引扉３を左方に走行させ、図２に示すように、３枚の引扉２、３、４が前後に重合して、家具本体１の右部が開口する。
【００１５】
同様に閉塞状態の家具本体１は、内引扉４の引き手部５を右方に引くことにより、左部を開口することができる。
【００１６】
家具本体１を開口した図２に示す状態の各引扉２、３、４は、外引扉２の引き手部５を右方に引けば、右方に走行する外引扉２の左方の後向係合部１５が中引扉３の前向係合部１３に係合して、中引扉３も右方に走行し、家具本体１は閉塞される。
【００１７】
上述のように本実施例においては、家具本体１の開口部を閉塞した連動引違戸は、外引扉２と中引扉３の左方の後向係合部１５が、それぞれ中引扉３と内引扉４の前向係合部１３に側方より係合しているので、連係装置が前後に外れる恐れはなく、また粗暴に開閉しても緩衝材１６の作用により、騒音の発生を抑えることができる。
【００１８】
なお、上述の実施例においては、家具本体１の開口部を、前後に近接して並ぶ３枚の引扉２、３、４により開閉する場合について記載したが、本発明は、引扉の数を３枚に限定するものではない。
【００１９】
家具本体１の開口する前面には、３枚の引違戸２、３、４が左右対称に設けられ、両側端の外引扉２には、本発明装置が左右対称に設けられている。
【００２０】
図２〜図５は、左方の本発明装置を示すもので、家具本体１の左方の側板８の前部に形成された角柱状の支柱の内側面前部には凹所が形成され、この凹所内の後部には、前方に向かって平面視山形状に突出する係止爪を有する係止板が設けられている。
【００２１】
この係止爪の左側縁は前後方向を向き、その前端から後内方に向かって傾斜面が形成されている。
【００２２】
引扉の左端後方に設けた取付板には、上記係止板に対向する部分には、上下１対の軸受が固着され、両軸受間に枢設した左方を向く係合板の左端部には、係止板の係止爪を係合する係合孔が穿設され、同じく右端部には、前方を向くレバーが連設されている。係合板は、コイルばねにより、図４に示すように、係合孔が係止爪に係合しうる係止位置に向かって付勢されている。
【００２３】
引扉の左側部における係合板の前方には、引扉に近接し、かつそれと平行をなすラッチレバー７が、左右回動自在に設けられている。
【００２４】
ラッチレバー７の左端には、後方を向き、かつレバーの左面前部に当接する連結部が連設され、同じく右端には、前向きの手掛片が設けられ、手掛片は、引扉の左側部に嵌設した有底の手掛枠より前方に若干突出している。
【００２５】
手掛枠内における手掛片の右方、すなわち引扉を開く方向には、手掛片と平行をなす同形等寸の固定手掛片が固着されている。
【００２６】
上述の本発明装置においては、家具本体１の前面を各引扉が閉じている時には、図１に示すように、引扉に設けた係合板の係合孔が、コイルばねの付勢により、係止位置に保持され、家具本体の係止爪に係合しているので、振動等により引扉が開くことはなく、引扉を粗暴に閉じても、跳ね返されることはない。
【００２７】
閉じている引扉の引き手部５の手掛片を手で右方に引けば、図２に示すように、まずラッチレバー７が右方に移動して、その連係部が当接しているレバーを右方に押圧し、係合板をスプリング１１、例えばコイルばねの付勢力に抗して、図１の状態より図４の矢印が示すような解除位置まで反時計回りに回動させ、係合板の係合孔が係止板の係止爪より離脱するので、引扉とともに他の引扉を開くことができる。
【００２８】
家具本体の前面の左部と中央部を開いた各引扉は、左方の引扉の手掛片、または固定手掛片、または手掛枠を手により左方に引けば、各引扉は左進して、左方の引扉が支柱に近接し、その係合板の左端が、係止板の左前方に傾斜する傾斜面に当接して、係合板はコイルばねの付勢力に抗して反時計回りに回動しつつ、その左端が係止爪の前端を乗り越えて、係合孔が係止爪に係合する。
【００２９】
このようにして、係合孔が係止板に係合することにより、引扉が跳ね返されることはない。右端の引扉と家具本体１の間にも、図示と説明を省略したが、上述と同様の本発明装置が左右対称に設けられている。また、係合板の先端部に係止爪を設け、係止板側に係合孔を設けてもよい。
【００３０】
次に、図６〜図１０に基づいて第２実施例について詳細に説明する。
前記の第１実施例との違いは、ラッチレバー７が引き手部５と一体化した点が相違するだけで、他の構成は同一のものである。
【００３１】
ここで、第２実施例のラッチレバー７に相当する引き手部５について説明する。
図６に示すように引き手部５と一体的に後方にラッチレバー７を形成したもので、引扉２、４に穿設した孔１７からラッチレバー７部を引扉内側に挿入できるようになっている。しかも、引き手部５は図８〜図１０でも理解できるように、１点で回転自在に支持している。このため、図９の矢印のように引き手部５を回転支持して中心に引き倒すように回動させることにより一体的に形成されているラッチレバー７の突起部１８がラッチを回動させて係合がはずされることになる。このように一体化したことにより、引き手部５にラッチレバー７を組み付ける手間が省けることになる。しかも、水平引きのようにスライドするものに比べて１点支持で回動操作のためガタツキがすくない。
【００３２】
次に、作動について簡単に説明する。
前記した通り、構成の説明の中でも若干説明したが、図２に基づいて詳細に説明すると、引違戸を閉じたとき、前方の引扉の平面視コ字状の後向係合部１５と、この後向係合部１５と反対方向を向く、後方の引扉の平面視コ字状の前向係合部１３とが互いに側方より係合し、前後の引扉の前後方向の相対移動を互いに規制しあうので、両引扉は前後に外れにくくなるとともに、各引扉に反りが生じるのを防止することができ、また前後の係合部の係合を引扉の前方より故意に外そうとするのを防止することができる。また、平面視コ字状に屈曲した前向係合部の中間部に緩衝材を外嵌すれば、緩衝材が前向係合部から抜け外れにくくなるとともに、この緩衝材により、引扉の開閉時の衝撃が緩和され、騒音の発生が防止される。
【００３３】
【発明の効果】
本発明は、以上の構成に基づき次の効果を得ることができる。
（１）係止部材を設けることにより、各引違い扉の前後のクリアランスの異常により、連係装置が前後に外れることがあり、両端の引違い扉を家具本体に施錠しても、中引違い扉は家具本体に施錠されていないので、中引違い扉両端の連係装置を故意に外して、家具本体が開口される恐れがあるのを解消することができた。
（２）引違い扉式の家具、例えば収納庫、書庫等から地震などの万一の時にも引違い扉がラッチ装置により係止されているので収納物が飛び出ることがない。
（３）ラッチ掛け具を特殊形状にしたことにより、作業性を良くし、さらに、ラッチ作動が円滑に行えるようになった。
（４）ラッチレバーの操作におけるガタツキが極めて少なく、安定した操作を行うことができる。
【図面の簡単な説明】
【図１】  本発明の第１実施例であるスチール製引違い書庫の概略斜視図である。
【図２】  本発明の第１実施例の閉止時の状態を略示する横断平面図である。
【図３】  前記実施例における、鍵機構を示す横断平面図である。
【図４】  前記実施例の引き手部とラッチ掛け具の実施例を示す概略斜視図である。
【図５】  前記実施例のラッチ掛け具とラッチとの関係状態を示す一部概略説明図である。
【図６】  本発明の第２実施例の引き手部とラッチレバーを一体化したものを示す斜視図である。
【図７】  本発明の第２実施例の引き扉とラッチ装置と家具本体の関係を示す横断平面図である。
【図８】  前記第２実施例における、ラッチ装置が係合している状態を示す一部拡大正面図である。
【図９】  同じくラッチ装置が外れている状態を示す一部拡大正面図である。
【図１０】  同じく引扉にラッチレバーと一体化した引き手部を取り付けた状態を示す一部拡大縦断面図である。
【符号の説明】
１・・・・家具本体                        ２・・・・外引扉
３・・・・中引扉                          ４・・・・内引扉
５・・・・引き手部                        ６・・・・ラッチ装置
７・・・・ラッチレバー                    ８・・・・側板
９・・・・補強部                        １０・・・・ラッチ掛け具
１１・・・・スプリング                    １２・・・・係止部材
１３・・・・前向係合部                    １４・・・・補強枠
１５・・・・後向係合部                    １６・・・・緩衝材
１７・・・・孔                            １８・・・・突起部
【図１】
0003776190.tif 000002
【図２】
0003776190.tif 000003
【図３】
0003776190.tif 000004
【図４】
0003776190.tif 000005
【図５】
0003776190.tif 000006
【図６】
0003776190.tif 000007
【図７】
0003776190.tif 000008
【図８】
0003776190.tif 000009
【図９】
0003776190.tif 000010
【図１０】
0003776190.tif 000011